(57)【要約】【課題】  人手や電源を必要とせず、機械的機構のみで作動し、水田の何処にでも設置が可能で、かつ、用水路側の水位のみに依存しないで、水田の水位を一定範囲で調整可能な水位調整装置を提供する。【解決手段】  取水側の領域に設置され、水位の変化に伴って鉛直方向に作動するフロート１と、接続手段を介してフロート１に取り付けられ、フロート１と連動して鉛直方向に作動する弁１１と、弁１１により開閉され、排水側の領域に設置されてなる排水口１３と、排水口１３の上の部分の水平面に垂直に開口され、水田側に連通されてなる給水口１２で、水位調整装置を構成する。前記接続手段は、フロート１に接合され、鉛直方向に作動する第一のロッド２と、弁１１に接合され、鉛直方向に作動する第二のロッド９と、第一のロッド２と第二のロッド９とを連結するバー６から構成される。【選択図】図１
2013123434.tif 000002
【特許請求の範囲】
【請求項１】
遊水区域からの水を流出させるための排水区域に設置され、前記排水区域の水位の変化に伴って鉛直方向に作動するフロートと、接続手段を介して前記フロートに取り付けられ、前記フロートと連動して鉛直方向に作動する弁と、前記弁により開閉され、前記排水区域に設置されてなる排水口と、前記排水口の上の部分の水平面に垂直に開口され、前記遊水区域に連通されてなる流出口を有する、水位調整装置であって、前記接続手段は、前記フロートに接合され、鉛直方向に作動する第一のロッドと、前記弁に接合され、鉛直方向に作動する第二のロッドと、前記第一のロッドと前記第二のロッドとを連結するバーを有することを特徴とする水位調整装置。
【請求項２】
前記弁に第三のロッドが接合され、前記第三のロッドの前記弁側とは反対側の端部が、鉛直方向に一定の範囲でスライド可能な状態で遊嵌する空間を有する結合部材が、前記第二のロッドの前記バーに連結された側の反対側の端部に、接合されてなることを特徴とする、請求項１に記載の水位調整装置。
【発明の詳細な説明】
【技術分野】
【０００１】  本発明は、用水路と遊水区域の間に設置される、電力などが不要な水位調整装置、特に水田の水位を調整するのに適した水位調整装置に関するものである。
【背景技術】
【０００２】  現在の稲作農業は、従事人口の減少及び高齢化、米の消費量減少などによる価格下落、美味しい米へのニーズなど、多くの問題を抱え、省力化及びコスト削減が求められている他、輸入自由化への圧力などから、さらなる競争力強化が必要で、抜本的な改革が急務である。【０００３】  水田は畔と称される盛土によって区切られ、区域毎に用水の水位の管理などがなされるのが一般的である。そして用水は、やはり畔で隔てられた用水路から導入されるが、水稲の生育期において生育状態に合わせた細やかな管理が必要で、特に水田の水位の調整による温度管理が収量に影響する。このため従来は、この水田水位管理を、水稲育成従事者が毎日、水田を点検しながら行っていた。【０００４】  しかし、前記の稲作経営の実態により、省力化、コスト削減が求められ、人手に頼らない自動装置による水田水位の調節が必要となっていて、これに対応した装置が望まれている。【０００５】  このような要望に対処する技術として、例えば特許文献１には、電磁弁の動作により、水田などの潅漑用水を自動的に供給する装置が開示されている。しかしながら、ここに開示されている装置は構造が複雑で製造コスト低減が困難な他、多くの場合、広い圃場では電源の確保が困難である。【０００６】  また、特許文献２にはフロートと一体化された弁を用いることにより、水田水位により給水管の開口面積を変化させることで、電力を用いることなく自動的に水田に用水を導入する機構が開示されている。【０００７】  更に本発明者は、フロートの浮力を利用して水田の水位を一定に保持する装置を、特許文献３として提案している。これらの技術によれば、水田の水位を一定に保持すること可能となるが、これらの装置によって制御できる水田の水位は、用水路の水位にのみ依存することになる。従って、大量の降水により、水田の水位が必要以上に上昇した場合に対処できないという課題がある。
【先行技術文献】
【特許文献】
【０００８】
【特許文献１】  特開２００５−３４８６９５号公報
【特許文献２】  特開２００９−１１２２９６号公報
【特許文献３】  特開２０１１−１６７１７３号公報
【発明の開示】
【発明が解決しようとする課題】
【０００９】  従って、本発明の課題は、人手や電源を必要とせず、機械的機構のみで作動し、水田の何処にでも設置が可能で、かつ、用水路側の水位のみに依存しないで、水田の水位を一定範囲で調整可能な水位調整装置を提供することにある。
【課題を解決するための手段】
【００１０】  本発明は。前記の課題に鑑み、フロートを利用した水位調整装置の中で、特に排水口に用いられる弁の取付構造を再検討した結果なされたものである。【００１１】  即ち、本発明は、遊水区域からの水を流出させるための排水区域に設置され、前記排水区域の水位の変化に伴って鉛直方向に作動するフロートと、接続手段を介して前記フロートに取り付けられ、前記フロートと連動して鉛直方向に作動する弁と、前記弁により開閉され、前記排水区域に設置されてなる排水口と、前記排水口の上の部分の水平面に垂直に開口され、前記遊水区域に連通されてなる流出口を有する、水位調整装置であって、前記接続手段は、前記フロートに接合され、鉛直方向に作動する第一のロッドと、前記弁に接合され、鉛直方向に作動する第二のロッドと、前記第一のロッドと前記第二のロッドとを連結するバーを有することを特徴とする水位調整装置である。【００１２】  また、本発明は、前記弁に第三のロッドが接合され、前記第三のロッドの前記弁側とは反対側の端部が、鉛直方向に一定の範囲でスライド可能な状態で遊嵌する空間を有する結合部材が、前記第二のロッドの前記バーに連結された側の反対側の端部に、接合されてなることを特徴とする、前記の水位調整装置である。
【発明の効果】
【００１３】  本発明の水位調整装置は、前記のように遊水区域、即ち、水田の過剰な用水を流出させるための排水区域、即ち、水田における用水路側に設置されたフロート動作によって排水側の弁が開閉する構造なので、電力などを用いることなく、自動的に作動し、水田などの遊水区域の水位を一定範囲に保持することを可能とする。【００１４】  また、前記のように、弁が取り付けられたロッドには、スライド部分があり、遊水区域の水圧によって、弁を排水口が閉塞される位置に保持できるので、動作が排水区域側の水位のみ依存するのではなく、遊水区域、即ち、水田側の水位によっても、作動範囲が調整可能である。
【図面の簡単な説明】
【００１５】
【図１】  本発明に係る水位調整装置の一例を示す概略図。
【図２】  本発明に係る水位調整装置における弁の取付構造の一例を示す図。
【発明を実施するための形態】
【００１６】  次に本発明の実施の形態について、具体的な図を参照しながら説明する。
【００１７】  図１は、本発明に係る水位調整装置の一例を示す概略図である。図１において、１はフロート、２は第一のロッド、３ａ、３ｂはロッド支持部材、４は第一のロッドの作動範囲調整用パイプ、５ａ、５ｂは作動範囲調整用パイプの位置決めナット、６は二つのロッドを連結するバー、７は第二のロッドの支持及びスライド用フレーム、８は第二のロッドの支持及びスライド用部材、９は第二のロッド、１０は弁のケーシング、１１は弁、１２は流出口、１３は排水口である。
【００１８】  フロート１は、浮力を確保するために、塩化ビニルなどの比較的軽量の材料で構成される。第一のロッドの作動範囲調整用パイプ４は、外周側に雄ネジが設けられ、位置決めナット５ａ，５ｂが螺合され、それの螺合位置により、第一のロッド２の作動範囲調整用パイプ４の鉛直方向の位置が決定され、バー６の下降の限界、つまり弁１１の下降の限界位置が決定される。つまり、バー６に第一のロッド２を取り付けているナットが、第一のロッドの作動範囲調整用パイプ４の上端に当接すると、バー６はそれよりも図１における下方向に作動することはない。
【００１９】  第二のロッド９は、第二のロッドの支持及びスライド用フレーム７に取り付けられ、第二のロッドの支持及びスライド用部材８には、スライドブッシュのような部材を用いて、摺動抵抗をなるべく小さくすることが必要である。また、弁のケーシング１０は特に材料を選ばないが、比較的安価で加工が容易な塩化ビニルのような材料を用いるのが望ましく、排水口１３を用水路に設置し、流出口１２には水田側に連通開口されたパイプを接続する。弁１１の排水口１３側の面には、パッキンとしてゴムなどからなるシートを貼り付けることが望ましい。
【００２０】  図２は、本発明に係る水位調整装置における弁の取付構造の一例を示す図である。図２において、１４は第二のロッドを接合するための雌ネジ、１５は第二のロッドと第三のロッドの接合部材、１６は第三のロッドを接合部材に係合するための係合部、１７は第三のロッド、１８は第三のロッドの作動範囲の調整用ナット、１９は第三のロッドの雄ネジ形成部である。
【００２１】  弁１１の取付方法として、図２に示すような構成を用い、ナット１８の第三のロッドの雄ネジ形成部１９における螺合位置の調整で、弁１１の鉛直方向の作動範囲を調整することが可能となる。これによって、水田側の水位が高い場合は、フロート１が上昇しても、水圧と弁１１の自重で弁１１が排水口１３に押し付けられ、第一のロッドの作動範囲調整用パイプ４の機能と併せて、用水路側の水位の変化にのみ依存することなく、水田の水位
【図１】
2013123434.tif 000003
【図２】
2013123434.tif 000004